(57)【要約】【課題】園芸用等結束機に於て、ステープルのステープルマガジンへの誤装填を防止し、機器のトラブル発生を防止する。【解決手段】ドライバハンドル２２にクリンチャアームを回動自在に設けると共に、該ドライバハンドル２２にステープル４４を装填するためのステープルマガジン５２を配設し、前記ステープルマガジン５２にステープル４４を装填するためのステープル装填手段５３を挿入自在に配設した園芸用等結束機５１に於て、前記ステープルマガジン５２内のステープル装填口５２ａ近傍に突部５４を形成し、ステープル４４の誤装填を規制するように構成した園芸用等結束機を提供する。【選択図】  図１
2004222520.tif 000002
【特許請求の範囲】
【請求項１】
ドライバハンドルにクリンチャアームを回動自在に設けると共に、該ドライバハンドルにステープルを装填するためのステープルマガジンを配設し、前記ステープルマガジンにステープルを装填するためのステープル装填手段を挿入自在に配設した園芸用等結束機に於て、前記ステープルマガジン内のステープル装填口近傍に突部を形成し、ステープルの誤装填を規制するように構成したことを特徴とする園芸用等結束機。
【請求項２】
上記ステープル装填手段は先端部に上記ステープルを押し込むためのプッシャーを備え、該プッシャーの側部には上記ステープルマガジン内に形成された突部との干渉を避けるべく装填方向に延びる凹溝が形成されていることを特徴とする請求項１記載の園芸用等結束機。
【発明の詳細な説明】
【０００１】
【発明の属する技術分野】
この発明は、園芸用等結束機に関するものであり、特に、農作物の栽培に於て、農作物の枝と支柱等の被結束物の周囲にテープを掛け回し、テープの先端部を下流部に重ねてステープルにより綴じると共に、テープの所定位置をカッターにより切断することにより被結束物を結束するように構成した園芸用等結束機に関するものである。
【０００２】
【従来の技術】
此種園芸用等結束機は葡萄や胡瓜、メロン、トマト等の農作物の栽培に於て、これらの蔓や枝を支柱や柵に沿わせるための結束作業に用いられるものであり、例えば、図３に示すように、結束機本体１と、該結束機本体１下部に挿着されるテープ案内台２と、該結束機本体１上部に挿着される結束針収納体３と、一端部にテープ引出体４を有し、他端部が前記結束機本体１に装着される昇降作動体５と、一端部が該結束機本体１と係合し、中間部が該昇降作動体５に回動自在に設けられ、他端部に把持部６を有する作動レバー７とから成る園芸用結束機８が既に知られている（例えば、特許文献１参照。）。
【０００３】
而して、前記園芸用結束機８は、前記結束機本体１側から前記昇降作動体５によって引出された結束テープ９の外側面に、支柱を隣接させた農作物の苗木や枝等の被結束体をあてがい、被結束体収納部Ａに収納し、前記昇降作動体５を下降させれば、被結束体を前記結束テープ９で括ることができると共に、該結束テープ９を結束針（図示せず）によって綴じることにより結束することが可能となり、更に、結束部から適宜長さの部位で該結束テープ９を切断し、被結束体の結束を行うことができる。
【０００４】
更に、前記園芸用結束機８に於て、前記結束針は前記結束針収納体３後端から装填されるように構成されており、該結束針を装填するための結束針装填手段１０は、棒状のプッシャーレバー１１と、折曲された板状のツマミ１２と、コイルバネ１３と、略直方体状に形成され、中心部に貫通孔（図示せず）が開穿されたプッシャー１４とから成り、前記ツマミ１２は前記プッシャーレバー１１の後端に固着され、前記コイルバネ１３は該プッシャーレバー１１に遊嵌して該ツマミ１２の前方に固着され、前記プッシャー１４は該コイルバネ１３の前方に固着され、且つ、該プッシャー１４の貫通孔が該プッシャーレバー１１に遊嵌して摺動自在に配設されている。尚、図に於て、１５は結束テープ収納部である。
【０００５】
而して、結束針を装填する場合は、前記結束針収納体３の後端から結束針を挿入し、更に、前記結束針装填手段１０に設けられた前記プッシャー１４によって前記結束針を該結束針収納体３の前端まで押し込んで装填すると共に、前記コイルバネ１３を変形させて該結束針を前方に付勢し、この状態で前記ツマミ１２を前記結束針収納体３の後端に係止する。
【０００６】
又、本出願人も此種園芸用等結束機を既に出願しており（特願２００２−１７３１１５号）、該出願を図４乃至図１３に従って説明する。図４は園芸用等結束機２１を示し、該園芸用等結束機２１は、ドライバハンドル２２とクリンチャアーム２３と下ハンドル２４をプライヤー形に組合せ、該ドライバハンドル２２の後部にテープマガジン２５が取付けられており、該テープマガジン２５に装填した園芸用のテープＴは、該ドライバハンドル２２の上面に装着したテープガイド２６の中を通して該テープガイド２６の先端から引出し、ステープルマガジン２７の先端の垂直テープガイド２８へ通して下方へ垂下させるように構成されている。
【０００７】
そして、前記ドライバハンドル２２と前記ステープルマガジン２７は後部の軸２９にて連結されており、該ドライバハンドル２２に対して該ステープルマガジン２７は僅かな角度範囲で回転が可能になっている。
【０００８】
又、前記ドライバハンドル２２の先端にノッチ刃形状のカッター刃３０が取付けられており、該カッター刃３０のやや後方にはステープルを射出するための板状ドライバ３１が取付けられている。
【０００９】
次に、前記テープマガジン２５や前記テープガイド２６を省略して示す図５によって、前記クリンチャアーム２３側の構成を説明する。同図は前記ドライバハンドル２２と前記下ハンドル２４を握って該ドライバハンドル２２と前記クリンチャアーム２３を軽く閉じた状態を示している。この時、該クリンチャアーム２３の先端部に設けたクリンチャ３２と前記ステープルマガジン２７の先端部が接触しており、該クリンチャ３２と前記ドライバ３１とが対向している。
【００１０】
又、前記クリンチャアーム２３の前部に取付けられている前後回動自在のピッキングプレート３３は、捩りコイルバネ（図４に於て３４）によって下端部を回動中心として図に於て時計回り方向へ付勢されており、その手前に配置されたテープ支えプレート３５に対向している。更に、前記クリンチャアーム２３の基部近傍にはストッパー３６が固定されており、該ストッパー３６の下に上下回動自在なクラッチレバー３７が取付けられている。
【００１１】
そして、前記ピッキングプレート３３と前記ストッパー３６との間には前後に長いプッシュプレート３８が挿入されていて、該プッシュプレート３８は、後部のバネ受け孔３９と前記クリンチャアーム２３の底面との間に介装した捩りコイルバネ（図４に於て４０）によって該プッシュプレート３８の後端部が上昇方向へ付勢されている。
【００１２】
更に、前記プッシュプレート３８の前端部は前記ピッキングプレート３３の後面に形成された凹溝３３ａに係合しており、該ピッキングプレート３３に押圧されて後端が前記ストッパー３６の前面に圧接されている。
【００１３】
又、前記プッシュプレート３８の後部には上方へ隆起する突部４１が形成されており、前記クリンチャ３２と前記ステープルマガジン２７が接触した状態において、前記突部４１は前記ドライバハンドル２２に設けたローラ４２に接近或いは接触している。
【００１４】
同図の状態から前記ドライバハンドル２２と前記クリンチャアーム２３を更に閉じてゆくと、前記プッシュプレート３８が前記ローラ４２に押されて下降し、図６に示すように該プッシュプレート３８と前記ストッパー３６との係合が外れ、該プッシュプレート３８は前記ピッキングプレート３３に押されて後退する。
【００１５】
そして、該ピッキングプレート３３は前記テープ支えプレート３５へ向かって回動し、前記ステープルマガジン２７の前面の前記垂直テープガイド２８から下方へ垂下しているテープ（図示せず）の先端部に突き刺さり、前記テープ支えプレート３５に当接してテープの先端を保持する。
【００１６】
この状態から前記ドライバハンドル２２と前記下ハンドル（図４に於て２４）の閉じ操作を解除して該ドライバハンドル２２と該クリンチャアーム２３とを開くと、図７にテープＴを図示して示す如く、該ドライバハンドル２２側からテープＴが引出されて該ドライバハンドル２２と該クリンチャアーム２３との間にテープＴが張られる。そして、図８にテープＴを図示して示す如く、前記園芸用等結束機２１を前方へ押し出して該ドライバハンドル２２と該クリンチャアーム２３との間へ農作物の枝Ｖと支柱Ｓを入れればテープＴが枝Ｖと支柱Ｓに掛け回される。
【００１７】
続いて、前記ドライバハンドル２２と前記クリンチャアーム２３を閉じて再び図６の状態にすると、前記テープ支えプレート３５に掴まれているテープＴの先端部分が前記垂直テープガイド２８の出口付近でテープＴの下流部分に重ねられてテープループが形成される。更に、前記ドライバハンドル２２と前記クリンチャアーム２３の間隔を狭めていくと、前記ドライバ３１が前記ステープルマガジン２７内のステープル（図示せず）に当たって射出を開始し、前記カッター刃３０が前記テープ支えプレート３５の前面上縁近傍でテープに接する。
【００１８】
これと同時に、前記プッシュプレート３８の後部下面の傾斜カム面４３が前記クラッチレバー３７に当たり、傾斜カム面４３のカム作用により前記プッシュプレート３８が前記ドライバハンドル２２の下降に連動して前進を開始する。そして、図９に示すように、前記ドライバ３１がステープルを射出してテープ（図示せず）を綴じ、前記カッター刃３０がテープを切断した時には前記ピッキングプレート３３は前方へ回動して該カッター刃３０の経路から退避していて、前記プッシュプレート３８の後端は前記クラッチレバー３７の前面に乗り上げる。
【００１９】
結束完了後に前記ドライバハンドル２２と前記クリンチャアーム２３とを開くと、図１０に示すように前記ローラ４２による押圧を解除された前記プッシュプレート３８は、前記捩りコイルバネ（図４に於て４０）により前記クラッチレバー３７と共に上昇し、前記プッシュプレート３８の後端が前記ストッパー３６に係合して図５の初期状態に戻る。
【００２０】
又、前記先願（特願２００２−１７３１１５号）に基づき実施された園芸用等結束機２１は、図１１及び図１２に示す如く、前記ステープルマガジン２７の後端からステープル４４が装填されるように構成されており、該ステープル４４を装填するためのステープル装填手段４５は、棒状のプッシャーレバー４６と、折曲された板状のツマミ４７と、コイルバネ４８と、略直方体状に形成され、中心部に貫通孔４９ａが開穿されたプッシャー４９とから成り、前記ツマミ４７は前記プッシャーレバー４６の後端に固着され、前記コイルバネ４８は該プッシャーレバー４６に遊嵌して該ツマミ４７の前端に固着され、前記プッシャー４９は該コイルバネ４８の前端に固着され、且つ、該プッシャー４９の貫通孔４９ａを前記プッシャーレバー４６に遊嵌させて摺動自在に配設されている。
【００２１】
又、前記ツマミ４７の下端部には下方に突設する係止部４７ａが形成され、一方、前記ステープルマガジン２７内の底部後端部には前記係止部４７ａを係合させるための係合部２７ａが形成されている。
【００２２】
而して、前記ステープル４４を前記ステープルマガジン２７に装填する場合は、前記ステープルマガジン２７の後端からステープル４４を挿入し、更に、前記ステープル装填手段４５に設けた前記プッシャー４９によって該ステープル４４を該ステープルマガジン２７の前端まで押し込むと共に、前記コイルバネ４８を変形させて該ステープル４４を前方に付勢し、図１３に示す如く、前記ツマミ４７の係止部４７ａを前記ステープルマガジン２７の係合部２７ａに係合させて固定する。
【００２３】
【特許文献１】
特開２００１−５５２０３
【００２４】
【発明が解決しようとする課題】
上記特許文献１の園芸用等結束機は、結束針収納体の後端から結束針を挿入し、結束針装填手段に設けたプッシャーによって該結束針を該結束針収納体の前端まで押し込み装填すると共に、前記コイルバネを変形させて該結束針を前方に付勢するように構成されている。
【００２５】
又、上記先願（特願２００２−１７３１１５号）に基づき実施された園芸用等結束機も同様にステープルマガジンの後端からステープルを挿入し、ステープル装填手段に設けたプッシャーによってステープルを該ステープルマガジンの前端まで押し込み装填すると共に、コイルバネを変形させて該ステープルを前方に付勢し、この状態で前記ツマミの係止部を前記ステープルマガジンの係合部に係合させて固定するように構成されている。
【００２６】
然しながら、前記特許文献１及び前記先願の園芸用等結束機の何れの場合も、ステープル等をステープルマガジン等の後端装填口から挿入するように構成されており、この挿入時にステープル等の上下方向を誤って装填する虞があり、これによって機器の作動不良又は故障等のトラブルが発生する問題があった。
【００２７】
そこで、園芸用等結束機に於て、ステープルのステープルマガジンへの誤装填を防止し、機器のトラブル発生を防止するために解決すべき技術的課題が生じてくるのであり、本発明はこの課題を解決することを目的とする。
【００２８】
【課題を解決するための手段】
本発明は上記目的を達成するために提案されたものであり、ドライバハンドルにクリンチャアームを回動自在に設けると共に、該ドライバハンドルにステープルを装填するためのステープルマガジンを配設し、前記ステープルマガジンにステープルを装填するためのステープル装填手段を挿入自在に配設した園芸用等結束機に於て、前記ステープルマガジン内のステープル装填口近傍に突部を形成し、ステープルの上下逆装填を規制するように構成した園芸用等結束機、
及び、上記ステープル装填手段は先端部に上記ステープルを押し込むためのプッシャーを備え、該プッシャーの側部には上記ステープルマガジン内に形成された突部との干渉を避けるべく装填方向に延びる凹溝が形成されている園芸用等結束機を提供するものである。
【００２９】
【発明の実施の形態】
以下、本発明の一実施の形態を図１及び図２に従って詳述する。尚、説明の都合上、本出願人の先願に係る前記園芸用等結束機（図４に於て２１）と同一構成部分については同一符号を付してその説明を省略する。
【００３０】
図１及び図２に於て、５１は園芸用等結束機であり、該園芸用等結束機５１は前記園芸用等結束機（図４に於て２１）に於けるステープルマガジン（図４に於て２７）に代えて、後述するステープルマガジン５２が設けられると共に、前記ステープル装填手段（図１２に於て４５）に代えて、後述するステープル装填手段５３が用いられる。
【００３１】
そして、前記ステープルマガジン５２は、ステープル４４の誤装填を防止するため該ステープルマガジン５２内底部の装填口５２ａ近傍に突部５４が形成され、一方、前記ステープル装填手段５３は前記ステープル装填手段（図１２に於て４５）に設けられたプッシャー（図１２に於て４９）に代えて、改良したプッシャー５５が設けられ、該プッシャー５５は略直方体に形成されると共に、前記突部５４との干渉を避けるため、該プッシャー５５の下端部に装填方向に延びる凹溝５６が形成されている。
【００３２】
従って、前記ステープル４４は前記ステープルマガジン５２の装填口５２ａに挿入される時、該ステープル４４が図１に示す如く正しい方向で挿入される場合は、該ステープル４４が前記突部５４に規制されることなく円滑に装填され、反対に該ステープル４４が上下方向逆向き等の誤った方向で挿入されようとした場合は、該ステープル４４が前記突部５４に規制されて挿入が阻止され、即ち、誤装填が防止されて機器の作動不良又は故障等のトラブル発生を防止することができる。
【００３３】
又、前記プッシャー５５には前記凹溝５６が形成されていることにより、該プッシャー５５は前記ステープル４４を前記ステープルマガジン５２内に装填する時、該プッシャー５５が前記突部５４に干渉されることなく、円滑に前記ステープル４４を装填することができる。
【００３４】
尚、前述の説明に於て、テープＴを利用する園芸用等結束機５１を用いて本発明を説明したが、本発明は、例えば、テープを利用しないホッチキスでも応用可能である。
【００３５】
又、本発明は、本発明の精神を逸脱しない限り種々の改変を為すことができ、そして、本発明が該改変されたものに及ぶことは当然である。
【００３６】
【発明の効果】
本発明は上記一実施の形態に詳述したように、請求項１記載の発明は、園芸用等結束機に於て、ステープルマガジン内のステープル装填口近傍に突部を形成し、ステープルの誤装填を規制するように構成したので、ステープルの誤装填を防止でき、機器のトラブル発生を防止することができる。
【００３７】
又、請求項２の記載の発明は、上記ステープル装填手段は先端部に上記ステープルを押し込むためのプッシャーを備え、該プッシャーの側部には上記ステープルマガジン内に形成された突部との干渉を避けるべく装填方向に延びる凹溝が形成されているので、請求項１記載の発明の効果に加え、前記プッシャーは前記突起に干渉することなくステープルをステープルマガジン内に円滑に装填することができる等、正に著大なる効果を奏する発明である。
【図面の簡単な説明】
【図１】本発明の一実施の形態を示し、上下逆向きにしたステープルマガジンの装填口周辺と、ステープル装填手段を説明する斜視図。
【図２】本発明の一実施の形態を示し、ステープルマガジンの装填口周辺の一部切欠拡大側面縦断面図。
【図３】従来例を示し、園芸用等結束機の側面図。
【図４】先願例を示し、園芸用等結束機の側面図。
【図５】先願例を示し、園芸用等結束機の動作工程を示す一部側面断面図。
【図６】先願例を示し、園芸用等結束機の動作工程を示す一部側面断面図。
【図７】先願例を示し、テープを図示して園芸用等結束機の動作工程を示す一部切欠側面図。
【図８】先願例を示し、テープを図示して園芸用等結束機の動作工程を示す一部切欠側面図。
【図９】先願例を示し、園芸用等結束機の動作工程を示す一部側面断面図。
【図１０】先願例を示し、園芸用等結束機の動作工程を示す一部側面断面図。
【図１１】先願例に基づく園芸用等結束機を示す側面断面図。
【図１２】先願例に基づき実施された上下逆向きのステープルマガジンの装填口周辺と、ステープル装填手段を説明する斜視図。
【図１３】先願例に基づき実施されたステープルマガジンの装填口周辺の一部切欠拡大側面縦断面図。
【符号の説明】
２２          ドライバハンドル
２３          クリンチャアーム
４４          ステープル
５１          園芸用等結束機
５２          ステープルマガジン
５２ａ        装填口
５３          ステープル装填手段
５４          突部
５５          プッシャー
５６          凹溝
Ｔ          テープ
【図１】
2004222520.tif 000003
【図２】
2004222520.tif 000004
【図３】
2004222520.tif 000005
【図４】
2004222520.tif 000006
【図５】
2004222520.tif 000007
【図６】
2004222520.tif 000008
【図７】
2004222520.tif 000009
【図８】
2004222520.tif 000010
【図９】
2004222520.tif 000011
【図１０】
2004222520.tif 000012
【図１１】
2004222520.tif 000013
【図１２】
2004222520.tif 000014
【図１３】
2004222520.tif 000015